(57)【要約】【課題】空気清浄機に搭載される人検知部による運転において、床面に堆積する粉塵量を人検知部からの検知信号と空気汚れを検出する空気汚れ検出部からの検知信号により想定し、人検知部からの検知信号だけで効率よく清浄運転することを目的とする。【解決手段】制御部は前記人検知部７から一人当たりの活動量と、前記空気汚れ人検出部８からの汚れ量を同時に時系列的に記憶して活動量と汚れ量の相関関係から床面の粉塵堆積量を判断することにより、粉塵堆積量が多いと判断した場合には人の活動量が少ない場合でも運転風量を大きくし、粉塵堆積量が少ないと判断した場合には人の活動量が多くても運転風量を小さくするので効率よく運転できるという効果を得られる。【選択図】図１
2012130870.tif 000002
【特許請求の範囲】
【請求項１】
室内の空気を清浄化する空気清浄機において、吸気した汚れ空気を清浄化する清浄化手段と、前記清浄化手段に通風する送風手段と、空気汚れを検出する空気汚れ検出部と、人の活動量を判別する人検知部と、前記人検知部からの活動量と前記空気汚れ検出部からの汚れ量を同時に時系列的に記憶して活動量と汚れ量の相関関係から床面の粉塵堆積量が多いと判断すれば運転風量を大きく、また粉塵堆積量が少ないと判断すれば運転風量を小さくする制御部を有し、前記人検知部は検出するエリアをそれぞれ重複しないように個別に複数設け、前記制御部は個々の人検知部から検出される活動量を平均化して粉塵堆積量を判断するようにした空気清浄機。
【請求項２】
前記制御部は前記人検知部が検知するエリアをゾーン毎に分類し、各ゾーンにおいて検出される活動量と、前記空気汚れ検出部からの汚れ量から粉塵堆積量を判断して前記送風手段を制御するようにした請求項１記載の空気清浄機。
【請求項３】
室内の明るさを検出する光検知部を設け、室内が明るいと判断した時に検出した人検知部の活動量と空気汚れ検出部からの汚れ量の相関関係を用いて床面の粉塵堆積量を判断して前記送風手段を制御するようにした請求項１または２記載の空気清浄機。
【請求項４】
室内の明るさを検出する光検知部を設け、室内が明るいと判断した時の相関関係による床面の粉塵堆積量を堆積量１とし、室内が暗いと判断した時の相関関係による床面の粉塵堆積量を堆積量１より小さい堆積量２として判断し、室内が明るい時は堆積量１により前記送風手段を制御し、室内が暗い時は堆積量２により前記送風手段を制御するようにした請求項１または２記載の空気清浄機。
【請求項５】
室内が暗いと判断した時は、人検知部の活動量と空気汚れ検出部からの汚れ量の相関関係を用いて床面の粉塵堆積量を判断して決定される運転風量を低下するようにした請求項３記載の空気清浄機。
【発明の詳細な説明】
【技術分野】
【０００１】
本発明は、一般家庭や事務所等で使用される空気清浄機に関するものである。
【背景技術】
【０００２】
従来、この種の空気清浄機は、人検知センサーを搭載して活動量の大小によって運転風量も大小させたものが知られている（例えば、文献１参照）。
【０００３】
以下、その空気清浄機について図１６〜１８を参照しながら説明する。
【０００４】
図１６に示すように、前面に吸気グリル１０２、上面に吹出しグリル１０３を配置し、吸気グリル１０２の本体１０１内に集塵フィルター１０４、さらにファンモーター１０５を備え、ファンモーター１０５の回転により吸気グリル１０２から吸い込まれた空気は集塵フィルター１０４で集塵され吹出しグリル１０３より清浄された空気が吹き出される。
【０００５】
本体１０１の上面には操作部１０６と人検知部１０７が設けられており、また本体１０１の側面には空気汚れ検知部１０８が設けられている。制御部１０９は操作部１０６や人検知部１０７または空気汚れ検知部１０８からの入力によりファンモーター１０５の回転数を制御するものである。
【０００６】
上記構成において、制御部１０９は人検知部１０７から検出される検知度数に基づいて本体１０１を運転する自動運転モードを選択されると１分間タイマーがスタートし、１分間に人検知部１０７から検出される検知度数をカウントする。そのカウントした回数を判別し、０回であれば初期に戻り１分間タイマーを再スタートする。１回〜４回であればファンモーター１０５を弱回転にして風量弱運転を開始する。５回以上であればファンモーター１０５を強回転にて風量強運転を開始する。その後、空気汚れ検知部１０８での検知レベルに合わせて運転風量を変更して集塵するものである。
【先行技術文献】
【特許文献】
【０００７】
【特許文献１】特開平１−１６３５４６号公報
【発明の概要】
【発明が解決しようとする課題】
【０００８】
このような従来の空気清浄機では、人の検知度数だけで運転風量を決定し空気が汚れているかどうか判断せずに運転しているため、床上に粉塵が堆積していない場合には汚れが発生しないため無駄な運転をおこなってしまうという課題を有していた。また汚れを検出してから運転する場合には汚れが室内全体に広がっており集塵するためには運転時間が長くかかってしまうという課題を有していた。
【０００９】
そこで、本発明は、このような従来の課題を解決するものであり、床上の粉塵堆積量を推測した上で人の活動量を判断するので使用環境に合わせた効率の良い集塵運転をおこなうことができる空気清浄機を提供することを目的としている。
【課題を解決するための手段】
【００１０】
そして、この目的を達成するために、本発明の空気清浄機は、室内の空気を清浄化する空気清浄機において、吸気した汚れ空気を清浄化する清浄化手段と、前記清浄化手段に通風する送風手段と、空気汚れを検出する空気汚れ検出部と、人の活動量を判別する人検知部と、前記人検知部からの活動量と前記空気汚れ検出部からの汚れ量を同時に時系列的に記憶して活動量と汚れ量の相関関係から床面の粉塵堆積量が多いと判断すれば運転風量を大きく、また粉塵堆積量が少ないと判断すれば運転風量を小さくする制御部を有し、前記人検知部は検出するエリアをそれぞれ重複しないように個別に複数設け、前記制御部は個々の人検知部から検出される活動量を平均化して粉塵堆積量を判断する構成にしたものであり、これにより所期の目的を達成するものである。
【００１１】
また、本発明の空気清浄機は、人検知部が検知するエリアをゾーン毎に分類し、各ゾーンにおいて検出される活動量と、前記空気汚れ検出部からの汚れ量から粉塵堆積量を判断して前記送風手段を制御するように構成した。
【００１２】
また、本発明の空気清浄機は、室内の明るさを検出する光検知部を設け、室内が明るいと判断した時に検出した人検知部の活動量と空気汚れ検出部からの汚れ量の相関関係を用いて床面の粉塵堆積量を判断して前記送風手段を制御するように構成した。
【００１３】
また、本発明の空気清浄機は、室内の明るさを検出する光検知部を設け、室内が明るいと判断した時の相関関係による床面の粉塵堆積量を堆積量１とし、室内が暗いと判断した時の相関関係による床面の粉塵堆積量を堆積量１より小さい堆積量２として判断し、室内が明るい時は堆積量１により前記送風手段を制御し、室内が暗い時は堆積量２により前記送風手段を制御するように構成した。
【００１４】
また、本発明の空気清浄機は、室内が暗いと判断した時は、人検知部の活動量と空気汚れ検出部からの汚れ量の相関関係を用いて床面の粉塵堆積量を判断して決定される運転風量を低下するように構成した。
【発明の効果】
【００１５】
本発明によれば、室内の空気を清浄化する空気清浄機において、吸気した汚れ空気を清浄化する清浄化手段と、前記清浄化手段に通風する送風手段と、空気汚れを検出する空気汚れ検出部と、人の活動量を判別する人検知部と、前記人検知部からの活動量と前記空気汚れ検出部からの汚れ量を同時に時系列的に記憶して活動量と汚れ量の相関関係から床面の粉塵堆積量が多いと判断すれば運転風量を大きく、また粉塵堆積量が少ないと判断すれば運転風量を小さくする制御部を有し、前記人検知部は検出するエリアをそれぞれ重複しないように個別に複数設け、前記制御部は個々の人検知部から検出される活動量を平均化して粉塵堆積量を判断するようにしたことにより、１人当りの活動量に対する汚れ量を認識することで床面の粉塵堆積量を正確に判断できるため使用環境に合わせて効率良く清浄化運転できるという空気清浄機を提供できる。
【図面の簡単な説明】
【００１６】
【図１】本発明の実施の形態１の空気清浄機の構造図
【図２】同制御ブロック図
【図３】同人検知手段の検知レベルと初期運転風量の相関図（（イ）人検知レベルに対する運転風量と回転数を示す図、（ロ）空気汚れ検知レベルに対する運転風量と回転数を示す図）
【図４】同制御フローチャート
【図５】同人検知レベルと同汚れ検知レベルのタイムチャートと運転風量の相関図（（イ）人検知レベルと汚れ検知レベル比較例を示す図、（ロ）人検知レベルに対する運転風量と回転数を示す図）
【図６】同人検知レベルと同汚れ検知レベルのタイムチャートと運転風量の相関図（（イ）人検知レベルと汚れ検知レベル比較例を示す図、（ロ）人検知レベルに対する運転風量と回転数を示す図）
【図７】同人検知レベルと同汚れ検知レベルのタイムチャートと運転風量の相関図（（イ）人検知レベルと汚れ検知レベル比較例を示す図、（ロ）人検知レベルに対する運転風量と回転数を示す図）
【図８】本発明の実施の形態２の人検知手段の検知レベルと初期運転風量の相関図（（イ）人検知レベルに対する運転風量と回転数を示す図、（ロ）空気汚れ検知レベルに対する運転風量と回転数を示す図）
【図９】同制御フローチャート
【図１０】同人検知レベルと同汚れ検知レベルのタイムチャートと運転風量の相関図（（イ）人検知レベルと汚れ検知レベル比較例を示す図、（ロ）人検知レベルに対する運転風量と回転数を示す図）
【図１１】同人検知レベルと同汚れ検知レベルのタイムチャートと運転風量の相関図（（イ）人検知レベルと汚れ検知レベル比較例を示す図、（ロ）人検知レベルに対する運転風量と回転数を示す図）
【図１２】本発明の実施の形態３の制御ブロック図
【図１３】同制御フローチャート
【図１４】同人検知レベルと同汚れ検知レベルのタイムチャートと運転風量の相関図（（イ）人検知レベルと汚れ検知レベル比較例を示す図、（ロ）人検知レベルに対する運転風量と回転数を示す図）
【図１５】同人検知レベルと同汚れ検知レベルのタイムチャートと運転風量の相関図（（イ）人検知レベルと汚れ検知レベル比較例を示す図、（ロ）人検知レベルに対する運転風量と回転数を示す図）
【図１６】従来の空気清浄機の構造図
【図１７】同人検知手段の検知レベルと運転風量の相関図
【図１８】同制御フローチャート
【発明を実施するための形態】
【００１７】
本発明の請求項１記載の発明は、室内の空気を清浄化する空気清浄機において、吸気した汚れ空気を清浄化する清浄化手段と、前記清浄化手段に通風する送風手段と、空気汚れを検出する空気汚れ検出部と、人の活動量を判別する人検知部と、前記人検知部からの活動量と前記空気汚れ検出部からの汚れ量を同時に時系列的に記憶して活動量と汚れ量の相関関係から床面の粉塵堆積量が多いと判断すれば運転風量を大きく、また粉塵堆積量が少ないと判断すれば運転風量を小さくする制御部を有し、前記人検知部は検出するエリアをそれぞれ重複しないように個別に複数設け、前記制御部は個々の人検知部から検出される活動量を平均化して粉塵堆積量を判断する構成を有する。これにより活動量が多い場合でも一人の活動量が多いのか、在室人数が多いため活動量が多いのかを判別でき、床面の粉塵堆積量を正確に判断できるため使用環境に合わせて効率良く清浄化運転できるという効果を奏する。
【００１８】
また、請求項２記載の発明は、制御部は前記人検知部が検知するエリアをゾーン毎に分類し、各ゾーンにおいて検出される活動量と、前記空気汚れ検出部からの汚れ量から粉塵堆積量を判断して前記送風手段を制御する構成を有する。これにより人の居るゾーンによる活動量がわかるので、どのゾーンの活動量が多い時に空気汚れ量が多くなるかにより床面の粉塵堆積量をより正確に判断できるため使用環境に合わせて効率良く清浄化運転できるという効果を奏する。
【００１９】
また、請求項３記載の発明は、室内の明るさを検出する光検知部を設け、室内が明るいと判断した時に検出した人検知部の活動量と空気汚れ検出部からの汚れ量の相関関係を用いて床面の粉塵堆積量を判断して前記送風手段を制御する構成を有する。これにより活動量が減少する夜間で検出される空気汚れ量を床面の粉塵堆積量の判断材料にしないため、活動量と空気汚れ量の相関関係より正確に判断できるため使用環境に合わせて効率良く清浄化運転できるという効果を奏する。
【００２０】
また、請求項４記載の発明は、室内の明るさを検出する光検知部を設け、室内が明るいと判断した時の相関関係による床面の粉塵堆積量を堆積量１とし、室内が暗いと判断した時の相関関係による床面の粉塵堆積量を堆積量１より小さい堆積量２として規定し、室内が明るい時は堆積量１により前記送風手段を制御し、室内が暗い時は堆積量２により前記送風手段を制御する構成を有する。これにより活動量が減少する夜間については夜間用の昼間より小さい判断基準を設けるので、昼間に活動量が少ない場合でも粉塵堆積量が多いと判断された場合は大風量で運転されるが、夜間に活動量が少ない場合でも粉塵堆積量が少ないと判断されると小風量で運転されるので騒音を抑えられるという効果を奏する。
【００２１】
また、請求項５記載の発明は、室内が暗いと判断した時は、人検知部の活動量と空気汚れ検出部からの汚れ量の相関関係を用いて床面の粉塵堆積量を判断して決定される運転風量を低下する構成を有する。これにより夜間での清浄運転による騒音を抑えられるという効果を奏する。
【００２２】
以下、本発明の実施の形態について図面を参照しながら説明する。
【００２３】
（実施の形態１）
以下、本発明の実施の形態１について図１〜図７を参照しながら説明する。
【００２４】
図１に示すように、前面に吸気グリル２、上面に吹出しグリル３を配置し、吸気グリル２の本体１内に吸気した空気を清浄化する清浄化手段である集塵フィルター４、さらに集塵フィルター４に通風する送風手段であるファンモーター５を備え、ファンモーター５の回転により吸気グリル２から吸い込まれた空気は、集塵フィルター４で集塵され吹出しグリル３より清浄された空気が吹き出される。
【００２５】
本体１の上面には操作部６と人の活動量を判別する人検知部７が設けられており、人検知部７には９つの重複しない検出エリアを検知できるように人検知素子８が９つ備えられている。また本体１の側面には空気汚れ検知部９が設けられている。空気汚れ検知部９と人検知部７の情報を元にファンモーター５を制御する制御部１０は人検知部７からの人検知度数を検知したエリア数で除算変換することで１エリア当たりの検知度数に平均化し、その結果を検知レベルとして５段階に分類し、１分間に検出される検知度数を少ない方からレベル１として検知度数の多い方をレベル５としている。また制御部１０は空気汚れ検知部９からの検知レベルも５段階に分類し、汚れレベルの少ない方からレベル１として汚れレベルの多い方をレベル５としている。そして、制御部１０は記憶部１１を備え、前記人検知レベルと汚れ検知レベルを同時に時系列的に記憶しながら空気汚れレベルを人検知レベルで除算して数値化したものを粉塵堆積量としている。
【００２６】
また図３に示すように制御部１０は５段階の人検知レベルに対して初期設定としてファンモーター５の回転数を決定しており、空気汚れ検知部９の５段階の汚れレベルに対してファンモーター５の回転数を決定している。つまり、制御部１０は、前記人検知レベルから得られる活動量と汚れ検知レベルから得られる汚れ量の相関関係から床面の粉塵堆積量を判断してファンモーター５の回転数を制御するものである。
【００２７】
上記構成において、制御部１０は図４に示すように電源が通電されると図３の初期設定に基づき、人検知部７で検出された１分間毎の人検知度数を検知したエリア数で除算して決定される人検知レベルに従いファンモーター５の回転数を制御して１０分間のタイマー運転をおこない、その後、空気汚れ検知部９で検出される汚れレベルに対応してファンモーター５の回転数を制御している。このとき、制御部１０は記憶部１１に人検知部７で検出された人検知レベルの最大値と空気汚れ検知部９で検出された汚れレベルの最大値を２０分ごとに時系列に１日分記憶している。
【００２８】
その後、図５（イ）に示すように記憶部１１に時系列に記憶された人検知レベルと汚れ検知レベルの比較をおこない、人検知レベルが３以上の場合に空気汚れ検知レベルが２以下の場合は粉塵堆積量が０．７未満となり、その割合が７０％以上存在する時は床面がフローリングのような粉塵が堆積しにくい環境であると判断して図３（イ）に示す人検知レベルに対する回転数に比べて、図５（ロ）に示すように、人検知レベルに対してファンモーター５の回転数を低くなるように変更する。
【００２９】
また、図６（イ）に示すように人検知レベルが２以下の場合に空気汚れ検知レベルが３以上の場合は粉塵堆積量が１．５以上となり、その割合が７０％以上存在する時は床面が絨毯のような粉塵が堆積しやすい環境であると判断して図３（イ）に示す人検知レベルに対する回転数に比べて、図６（ロ）に示すように、人検知レベルに対してファンモーター５の回転数を高くするように変更する。
【００３０】
また、図７（イ）に示すように人検知レベルが３以上の場合に空気汚れ検知レベルが３以上の場合は粉塵堆積量が０．７以上１．５未満となり、その割合が７０％以上存在する時は床面の状態にかかわらず人の活動量に比例して空気汚れが発生していると判断して図３（イ）に示す人検知レベルに対する回転数に比べて、図７（ロ）に示すように、人検知レベルが小さい場合はファンモーター５の回転数も低く、人検知レベルが大きくなればファンモーター５の回転数を高くするようにファンモーター５の回転数に変更する。
【００３１】
以上のように人の活動量だけで運転風量を判断するのではなく、単位床面当たりの人の活動量を算出し、その活動量とその後の空気汚れ量を比較することで使用環境の床面の粉塵堆積量を推測し、人の活動量による空気汚れの発生度合いを想定できるので、実使用に即した空気清浄運転をおこなうことができる。
【００３２】
（実施の形態２）
以下、本発明の実施の形態２について図８〜図１１を参照しながら説明する。なお、本実施の形態２は前記実施の形態１に対して人検知部７の９つの人検知素子８を３つずつにまとめて３つのゾーンとして検出できるようにしたものであるため、同一構成のものは同一番号を付して詳しい説明は省略する。
【００３３】
図８（イ）に示すように、人検知部７は検出される人の位置を３つのゾーンに分割し各ゾーン毎の活動量を検出しており、その結果をゾーン毎に検知レベルとして５段階に分類し、１分間に検出される検知度数を少ない方からレベル１として検知度数の多い方をレベル５としている。また制御部１０は空気汚れ検知部９からの検知レベルも５段階に分類し、汚れレベルの少ない方からレベル１として汚れレベルの多い方をレベル５としている。そして、制御部１０は記憶部１１を備え、前記人検知レベルと汚れ検知レベルを同時に時系列的に記憶するものである。
【００３４】
また図８（ロ）に示すように人検知部７の５段階の人検知レベルに対して初期設定として各ゾーン毎にファンモーター５の回転数を決定しており、空気汚れ検知部９の５段階の汚れレベルに対してファンモーター５の回転数を決定している。つまり、制御部は、前記人検知レベルから得られる活動量と汚れ検知レベルから得られる汚れ量の相関関係から床面の粉塵堆積量を判断してファンモーター５の回転数を制御するものである。
【００３５】
上記構成において、制御部１０は図９に示すように電源が通電されると人検知部７で検出された１分間毎の人検知レベルに従いファンモーター５の回転数を制御して１０分間のタイマー運転をおこない、その後、空気汚れ検知部９で検出される汚れレベルに対応してファンモーター５の回転数を制御している。このとき、制御部１０は記憶部１１に人検知部７で検出された人検知レベルの各ゾーン毎の最大値と空気汚れ検知部９で検出された汚れレベルの最大値を２０分ごとに時系列に１日分記憶している。
【００３６】
その後、図１０（イ）に示すように記憶部１１に時系列に記憶された各ゾーン毎の人検知レベルと汚れ検知レベルの比較をおこない、空気汚れ検知レベルが２以下の時に各ゾーンにおいて人検知レベルが３以上となるゾーンがゾーンＡである場合は粉塵堆積量が０．７未満となり、その割合が７０％以上存在する時は、そのゾーンＡは粉塵が堆積しにくい環境であると判断して、図８（イ）に示す人検知レベルに対する回転数に比べて、図１０（ロ）に示すように、その検知ゾーンのみでの人検知レベルが大きくなってもファンモーター５の回転数を高くしないようにファンモーター５の回転数を変更する。
【００３７】
また、図１１（イ）に示すように空気汚れ検知レベルが３以上の時に各ゾーンにおいて人検知レベルが２以下となるゾーンがゾーンＣである場合は粉塵堆積量が１．５以上となり、その割合が７０％以上存在する時は、そのゾーンＣは粉塵が堆積しやすい環境であると判断して図８（イ）に示す人検知レベルに対する回転数に比べて、図１１（ロ）に示すように、人検知レベル小さくなってもファンモーター５の回転数を高くするようにファンモーター５の回転数を変更する。
【００３８】
以上のように人の活動量だけで運転風量を判断するのではなく、人の居るゾーンによって堆積する粉塵量を推測することができるので、ゾーンによって人の活動量による空気汚れの発生度合いを想定できるので、実使用に即した空気清浄運転をおこなうことができる。
【００３９】
（実施の形態３）
以下、本発明の実施の形態３について図１２〜図１５を参照しながら説明する。なお、本実施の形態３は前記実施の形態１に対して室内の明るさを検出する光検知部１２を設けたものであるため、同一構成のものは同一番号を付して詳しい説明は省略する。
【００４０】
上記構成において、制御部１０は図１３に示すように電源が通電されると人検知部７で検出された１分間毎の人検知レベルに従いファンモーター５の回転数を制御して１０分間のタイマー運転をおこない、さらに空気汚れ検知部９で検出される汚れレベルに対応してファンモーター５の回転数を制御している。このとき、制御部１０は記憶部１１に人検知部７で検出された人検知レベルの最大値と空気汚れ検知部９で検出された汚れレベルの最大値を２０分ごとに時系列に１日分記憶している。
【００４１】
その後、図１４（イ）に示すように記憶部１１に時系列に記憶された光検知部１２が明るいと検知している時間帯の人検知レベルと汚れ検知レベルの比較をおこない、人検知レベルが３以上の場合に空気汚れ検知レベルが２以下の場合は粉塵堆積量が０．７未満となり、その割合が７０％以上存在する時は床面がフローリングのような粉塵が堆積しにくい環境であると判断して図３（イ）に示す人検知レベルに対する回転数に比べて、図１４（ロ）に示すように、人検知レベルが大きくなってもファンモーター５の回転数を高くしないようにファンモーター５の回転数を変更する。
【００４２】
また、図１５（イ）に示すように光検知部１２が明るいと検知している時間帯で人検知レベルが２以下の場合に空気汚れ検知レベルが３以上の場合は粉塵堆積量が１．５以上となり、その割合が７０％以上存在する時は床面が絨毯のような粉塵が堆積しやすい環境であると判断して図３（イ）に示す人検知レベルに対する回転数に比べて、図１５（ロ）に示すように、人検知レベルが小さくなってもファンモーター５の回転数を高くするようにファンモーター５の回転数を変更する。
【００４３】
以上のように、人の活動量が減少する夜間等の室内が暗い時の活動量と空気汚れ量を粉塵堆積量の判断材料にしないので、より実使用に即した使用環境の床面の粉塵堆積量を推測でき、効率的な空気清浄運転をおこなうことができる。
【００４４】
また本実施例では室内が明るい時の人検知レベル値と空気汚れレベル値により床面の粉塵堆積量を判断し、その堆積量によりファンモーターの回転数を制御しており、室内が暗い時でもその堆積量によりファンモーターの回転数を制御したが、室内が暗い時は、人の活動量が減ることから、その時に検知する人検知レベル値と空気汚れレベル値から判断される床面の粉塵堆積量が室内が明るい時に比べ小さくなるので、室内が暗い時に判断された堆積量によりファンモーターの回転数を制御するようにすることで騒音を抑えるようにしても良い。
【００４５】
また本実施例では室内が明るい時の人検知レベル値と空気汚れレベル値を床面の粉塵堆積量のみを判断材料にして、室内が暗い時でもその判断値によりファンモーターを制御したが、室内が暗いと検知された時は決定されたファンモーターの回転数を低下させるようにしても良い。
【産業上の利用可能性】
【００４６】
本発明にかかる空気清浄機は、人の活動量を検出する人検知部を用いて運転効率を高めようとするものであり、エアコンに用いて人の活動量により温度を制御する技術としても有用である。
【符号の説明】
【００４７】
１    本体
２    吸気グリル
３    吹出しグリル
４    集塵フィルター
５    ファンモーター
６    操作部
７    人検知部
８    人検知素子
９    空気汚れ検知部
１０  制御部
【図１】
2012130870.tif 000003
【図２】
2012130870.tif 000004
【図３】
2012130870.tif 000005
【図４】
2012130870.tif 000006
【図５】
2012130870.tif 000007
【図６】
2012130870.tif 000008
【図７】
2012130870.tif 000009
【図８】
2012130870.tif 000010
【図９】
2012130870.tif 000011
【図１０】
2012130870.tif 000012
【図１１】
2012130870.tif 000013
【図１２】
2012130870.tif 000014
【図１３】
2012130870.tif 000015
【図１４】
2012130870.tif 000016
【図１５】
2012130870.tif 000017
【図１６】
2012130870.tif 000018
【図１７】
2012130870.tif 000019
【図１８】
2012130870.tif 000020